(57)【要約】【課題】  開口部の開口面積を大きくしても主スコアを全周に亙って破断する。【解決手段】  缶蓋本体上面１０ａに、上方に向かって凸とされたリベット１１と、主スコア１３により画成された開口部１４とが形成され、開口部１４の上に一端部１５ａが重なるようにリベット１１に取り付けられたタブ１５を備え、このタブ１５の他端部１５ｂを上方に引き上げることにより、前記一端部１５ａが開口部１５を下方に押圧して主スコア１３を破断させ、開口部１４を開口させる構成とされた缶蓋であって、タブ１５は、缶蓋本体１０の径方向にスライド可能とされてリベット１１に取り付けられている。【選択図】    図１
2007076673.tif 000002
【特許請求の範囲】
【請求項１】
缶蓋本体の上面に、上方に向けて凸とされたリベットと、主スコアにより画成された開口部とが形成され、前記開口部の上に一端部が重なるように前記リベットに取り付けられたタブを備え、このタブの他端部を上方に引き上げることにより、前記一端部が前記開口部を下方に押圧して前記主スコアを破断させ、前記開口部を開口させる構成とされた缶蓋であって、
前記タブは、前記缶蓋本体の径方向にスライド可能とされて前記リベットに取り付けられていることを特徴とする缶蓋。
【請求項２】
請求項１記載の缶蓋であって、
前記タブの前記一端部と前記他端部との間に前記リベットが挿入されたリベットホールが形成され、このリベットホールは前記缶蓋本体の径方向に延びる長穴とされていることを特徴とする缶蓋。
【請求項３】
請求項１または２に記載の缶蓋であって、
前記缶蓋本体を平面視して前記リベットを挟んで前記開口部と反対側に指かけ凹部が形成され、前記タブは、前記一端部から前記他端部に向かう方向にスライド可能とされて前記リベットに取り付けられ、このタブを前記スライドさせたときに前記他端部が前記指かけ凹部の上に重なる構成とされたことを特徴とする缶蓋。
【請求項４】
請求項１から３のいずれかに記載の缶蓋であって、
前記缶蓋本体を平面視して前記リベットを挟んで前記開口部と反対側に、上方に向けて凸とされたディンプルが形成され、
前記タブは、前記他端部の下面側が前記ディンプルにより支持されるとともに、前記一端部から前記他端部に向かう方向にスライド可能とされて前記リベットに取り付けられていることを特徴とする缶蓋。
【発明の詳細な説明】
【技術分野】
【０００１】
本発明は、缶体の開口部に巻締められる缶蓋に関するものである。
【背景技術】
【０００２】
この種の缶蓋は一般に、例えば下記特許文献１に示されるように、缶蓋本体の上面に、上方に向けて凸とされたリベットおよびディンプルと、主スコアにより画成された開口部とが形成され、ディンプルと開口部とはリベットを挟んで互いに対向して配置され、開口部の上に一端部が重なる一方、ディンプルの上に他端部が重なるようにリベットに固着されたタブを備える概略構成とされ、タブの前記他端部にはこのタブの厚さ方向に開口したフィンガーホールが形成されている。
【０００３】
このように構成された缶蓋は、内容物が充填された缶体の開口部に巻締められて缶が形成され、需要者においては、タブのフィンガーホールを画成する周壁部のうち、このタブの他端に位置する周壁部（以下、「引き上げ部」という）を引き上げることにより、リベットに取り付けられているタブのタング部が引き上げられるとともに、このタング部が支点となって前記一端部が下方に向けて移動され、缶蓋本体の上面においてタブの前記タング部と前記一端部との間に位置する主スコアの始点部にせん断力が作用することによって、この主スコアが破断され始めるようになっている。そして、継続してタブの引き上げ部を引き上げ、前記一端部により開口部を下方に向けて押圧することで、主スコアが全周に亙って破断され開口部が開口されるようになっている。
【０００４】
ところで近年では、内容物の注ぎ性を向上させることに対する要望が高まっている。この注ぎ性を向上させるための手段として、例えば主スコアの周長を長くして開口部の開口面積を拡げることが考えられる。
【特許文献１】特許第３４６８５４８号公報
【発明の開示】
【発明が解決しようとする課題】
【０００５】
しかしながら、前記従来の缶蓋では、開口部の開口面積を大きくすると、主スコアをその全周に亙って破断させることができない場合があった。すなわち、主スコアに十分なせん断力を作用させてこれを良好に破断するためには、タブの前記一端部と主スコアとの距離を小さくする必要があるが、主スコアの始点部は缶蓋本体の平面視においてリベットとタブの前記一端部との間に位置されているため、前記始点部と前記一端部との距離を変えないで開口部の開口面積を大きくすると、この始点部を除いた主スコアにおいて、前記一端部との距離が大きくなり、十分なせん断力が作用せず破断させることができない部分が生ずることがあった。
【０００６】
本発明は、このような事情を考慮してなされたもので、開口部の開口面積を大きくしても主スコアを全周に亙って破断することができる缶蓋を提供することを目的とする。
【課題を解決するための手段】
【０００７】
このような課題を解決して、前記目的を達成するために、本発明の缶蓋は、このような課題を解決して、前記目的を達成するために、本発明の缶蓋は、缶蓋本体の上面に、上方に向けて凸とされたリベットと、主スコアにより画成された開口部とが形成され、前記開口部の上に一端部が重なるように前記リベットに取り付けられたタブを備え、このタブの他端部を上方に引き上げることにより、前記一端部が前記開口部を下方に押圧して前記主スコアを破断させ、前記開口部を開口させる構成とされた缶蓋であって、前記タブは、前記缶蓋本体の径方向にスライド可能とされて前記リベットに取り付けられていることを特徴とする。
【０００８】
この発明によれば、タブが缶蓋本体の径方向にスライド可能とされてリベットに取り付けられているので、主スコアをその始点部から終点部に向けて破断する過程において、主スコアの中でタブの前記一端部との間の距離が大きく、破断するのに十分なせん断力を作用させ難い難破断部の手前まで破断したときに、タブをこの難破断部に向けて前記スライドすることにより、前記距離を縮めることが可能になる。したがって、主スコアの周長を長くして開口部の開口面積を大きくしても、この主スコアの全周に前記十分なせん断力を作用させることができる。
【０００９】
また、タブが前記一端部から他端部に向かう方向にスライド可能とされた場合には、タブをこのようにスライドさせると、開口部のリベット側と対向しているタブの前記一端部がリベットに近づき、この一端部を開口部に対して後退移動させることが可能になる。したがって、開口部を開口した後に内容物を飲む際、タブを前記スライドさせて飲み口としての開口部を拡げることができる。
【００１０】
ここで、前記タブの前記一端部と前記他端部との間に前記リベットが挿入されたリベットホールが形成され、このリベットホールは前記缶蓋本体の径方向に延びる長穴とされてもよい。
【００１１】
この場合、タブを缶蓋本体の径方向にスライド可能としてリベットに取り付けることを容易かつ確実に実現することができる。また、缶蓋本体の上面とタブの上面との距離を現行同等に維持できるので、タブを前記スライド可能としたことにより良好なスタッキング性が阻害されることを防ぐことができる。
【００１２】
また、前記缶蓋本体を平面視して前記リベットを挟んで前記開口部と反対側に指かけ凹部が形成され、前記タブは、前記一端部から前記他端部に向かう方向にスライド可能とされて前記リベットに取り付けられ、このタブを前記スライドさせたときに前記他端部が前記指かけ凹部の上に重なる構成とされてもよい。
【００１３】
この場合、タブの前記他端部を引き上げて開口部を開口する前に、予めタブを前記スライドさせて前記他端部を指かけ凹部の上に重ね、その後に前記他端部の下面側に指を入れてこの他端部を引き上げることが可能になる。したがって、開口部を開口する際、前記他端部の下面側に容易に指を入り込ませることが可能になり、この缶蓋に良好な開栓性を具備させることができる。
【００１４】
さらに、前記缶蓋本体を平面視して前記リベットを挟んで前記開口部と反対側に、上方に向けて凸とされたディンプルが形成され、前記タブは、前記他端部の下面側が前記ディンプルにより支持されるとともに、前記一端部から前記他端部に向かう方向にスライド可能とされて前記リベットに取り付けられてもよい。
【００１５】
この場合、タブを前記スライドさせたときに、タブの前記他端部をその下面側からディンプルにより上方に案内させることが可能になる。したがって、前記他端部と缶蓋本体の上面との距離を大きくすることが可能になり、開口部を開口する際、前記他端部の下面側に容易に指を入り込ませることをより一層確実に実現することができる。
【発明の効果】
【００１６】
本発明によれば、開口部の開口面積を大きくしても主スコアを全周に亙って破断することができる。
【発明を実施するための最良の形態】
【００１７】
以下、図面を参照し、この発明の実施の形態について説明する。
図１および図２は、この発明の一実施形態として示した缶蓋の概略構成を示すものである。
【００１８】
この缶蓋は、純アルミニウム若しくはアルミニウム合金により形成され、缶蓋本体１０の上面（以下、「缶蓋本体上面」という）１０ａに、上方に向けて凸とされたリベット１１およびディンプル１２と、主スコア１３により画成された開口部１４とが形成され、ディンプル１２はリベット１１を挟んで開口部１４と反対側に配置され、開口部１４の上に一端部１５ａが重なる一方、ディンプル１２の上に他端部１５ｂが重なるようにリベット１１に取り付けられたタブ１５を備える概略構成とされている。
【００１９】
また、この缶蓋本体上面１０ａの外周縁部には、全周に亙って凹溝１６が形成されるとともに、この凹溝１６の外周縁部に連なって、缶蓋本体上面１０ａの上方に向って延び、かつ径方向外方に折り返された折り返し部１７が形成されている。
なお、この缶蓋は、飲料用の缶に用いられるいわゆるステイオンタブ式缶蓋であって、折り返し部１７が缶体の開口部に巻き締められた状態の缶において、折り返し部１７の外径は約５０ｍｍ〜６１ｍｍとされる。
【００２０】
タブ１５の他端部１５ｂには、このタブ１５の厚さ方向に開口したフィンガーホール１５ｃが形成されており、このフィンガーホール１５ｃを画成する周壁部のうち、タブ１５の前記他端に位置する周壁部が、この缶蓋の開口部１４を開口する際に引き上げる引き上げ部１５ｄとされる。
【００２１】
ディンプル１２は、缶蓋本体上面１０ａに２つ形成されており、これらのディンプル１２、１２はそれぞれ、開口部１４若しくはタブ１５の幅方向における中央部と缶蓋本体１０の中心軸線とを結ぶ直線を挟んで互いに対向して位置するように形成されている。そして、これらのディンプル１２、１２の上に、タブ１５のフィンガーホール１５ｃを画成する周壁部のうち、引き上げ部１５ｄと対向して配置された第２周壁部１５ｅの両端部の下面側が配置されている。
【００２２】
すなわち、ディンプル１２はタブ１５の他端部１５ｂにおける下面側の外縁部が引っ掛かかる位置に形成されており、これにより、タブ１５に前記中心軸線を中心に回転しようとする力が作用した場合でも、タブ１５の前記外縁部がディンプル１２、１２に引っ掛かり、このタブ１５の回転移動を防止できるようになっている。
【００２３】
また、缶蓋本体上面１０ａには、凹溝１６のうち、タブ１５の一端部１５ａから他端部１５ｂに向かう方向で引き上げ部１５ｄに対向する部分とディンプル１２と間に、凹溝１６とは独立した指かけ凹部１０ｂが形成されている。
【００２４】
ここで、タブ１５において一端部１５ａと他端部１５ｂとの間がリベット１１に取り付けられたタング部１５ｆとされ、このタング部１５ｆに形成されたリベットホール１５ｇにリベット１１が挿入されてタング部１５ｆの下面が缶蓋本体上面１０ａに当接した状態で、このタング部１５ｆがリベット１１に取り付けられている。
【００２５】
なお、リベット１１にタブ１５を取り付けるには、径方向中央部が平坦面とされた缶蓋本体部材に、まず、上方に向けて凸とされたニップル部を押圧成形し、その後タブ１５のリベットホール１５ｇに前記ニップル部を挿入した状態で、このニップル部を缶蓋本体部材の上面側から押し潰し、その上端部を拡径してリベット１１に形成するとともに、このリベット１１にタブ１５を取り付ける。
【００２６】
本実施形態では、リベットホール１５ｇが、前記他端部１５ｂから一端部１５ａに向かう方向に延びる長穴とされている。この長穴の幅は、前記拡径されたリベット１１の上端部の外径よりも小さくされている。以上より、タブ１５は、一端部１５ａから他端部１５ｂに向かう方向での缶蓋本体１０の径方向にスライド可能とされてリベット１１に取り付けられている。
【００２７】
また、タブ１５が一端部１５ａから他端部１５ｂに向かう方向にスライド可能とされた図１の状態で、タブ１５の他端が、指かけ凹部１０ｂの、缶蓋本体１０の径方向における内周縁に沿うように位置されている。したがって、タブ１５を一端部１５ａから他端部１５ｂに向かう方向にスライドさせ、リベットホール１５ｇにおける前記一端部１５ａ側の端部内周面と、リベット１１の外周面とを接触させたときに、図２に示すように、このタブ１５の他端、若しくは引き上げ部１５ｄが指かけ凹部１０ｂの上に重なるようになっている。
【００２８】
以上のように構成された缶蓋の開口部１４を開口するには、例えば次のようにすることができる。
まず、図２に示すように、タング部１５ｆの下面を缶蓋本体上面１０ａに当接させた状態で、タブ１５を一端部１５ａから他端部１５ｂに向かう方向にスライドさせ、一端部１５ａを主スコア１３の始点部１３ａに近づけるとともに、引き上げ部１５ｄを指かけ凹部１０ｂの上に重ねる。
【００２９】
さらにこの際、タブ１５はタング部１５ｆの下面が缶蓋本体上面１０ａと当接した状態で前記スライドされるので、このスライドの過程で、他端部１５ｂの下面側を支持しているディンプル１２により、缶蓋本体上面１０ａと、タブ１５のうちタング部１５ｆから引き上げ部１５ｄにかけた部分の下面とのなす角度が大きくなるように、タブ１５の他端部１５ｂが上方に案内される。
【００３０】
次に、缶蓋本体上面１０ａとタブ１５の引き上げ部１５ｄとの間に指を入れて、この引き上げ部１５ｄを上方に引き上げ、主スコア１３の始点部１３ａを破断する。そして、さらに前記引き上げを継続することにより、主スコア１３を終点部１３ｂに向けて破断する。その過程において、始点部１３ａを除く主スコア１３の中で、タブ１５の一端部１５ａとの間の距離が大きく、破断するのに十分なせん断力を作用させ難い部分としての、開口部１４若しくはタブ１５の幅方向における中央部と缶蓋本体１０の中心軸線とを結ぶ直線上に位置する始点部１３ａを除く主スコア１３（以下、「難破断部１３ｃ」という）の手前まで破断したときに、タブ１５を難破断部１３ｃに向けて前記スライドし前記距離を縮め、その後、前記引き上げを継続してこの難破断部１３ｃを破断する。その後、さらに前記引き上げを継続することで、この主スコア１３を終点部１３ｂまで破断し開口部１４を開口する。
【００３１】
以上説明したように本実施形態による缶蓋によれば、タブ１５が缶蓋本体１０の径方向にスライド可能とされてリベット１１に取り付けられているので、主スコア１３をその始点部１３ａから終点部１３ｂに向けて破断する過程において、始点部１３ａから難破断部１３ｃの手前まで破断したときに、タブ１５をこの難破断部１３ｃに向けて前記スライドすることにより、前記距離を縮めることが可能になる。したがって、主スコア１３の周長を長くして開口部１４の開口面積を大きくしても、破断するのに十分なせん断力を主スコア１３の全周に作用させることができる。
【００３２】
また、本実施形態では、タブ１５が一端部１５ａから他端部１５ｂに向かう方向にスライド可能とされているので、タブ１５をこのようにスライドさせると、開口部１４のリベット１１側と対向しているタブ１５の一端部１５ａがリベット１１に近づき、この一端部１５ａを開口部１４に対して後退移動させることが可能になる。したがって、開口部１４を開口した後に内容物を飲む際、タブ１５を前記スライドさせて飲み口としての開口部１４を拡げることができる。
【００３３】
さらに、リベットホール１５ｇが缶蓋本体１０の径方向に延びる長穴とされているので、タブ１５を缶蓋本体１０の径方向にスライド可能としてリベット１１に取り付けることを容易かつ確実に実現することができる。また、缶蓋本体上面１０ａとタブ１５の上面との距離を現行同等に維持できるので、タブ１５を前記スライド可能としたことにより良好なスタッキング性が阻害されることを防ぐことができる。
【００３４】
また、タブ１５をスライドさせたときに引き上げ部１５ｄが指かけ凹部１０ｂの上に重なるようになっているので、タブ１５の引き上げ部１５ｄを引き上げて開口部１４を開口する前に、予めタブ１５を前記スライドさせて引き上げ部１５ｄを指かけ凹部１０ｂの上に重ね、その後に引き上げ部１５ｄの下面側に指を入れてこの引き上げ部１５ｄを引き上げることが可能になる。したがって、開口部１４を開口する際に、引き上げ部１５ｄの下面側に容易に指を入り込ませることが可能になり、この缶蓋に良好な開栓性を具備させることができる。
【００３５】
さらに、タブ１５を前記スライドさせたときに、この他端部１５ｂをその下面側からディンプル１２により上方に案内させることが可能になる。したがって、前記他端部１５ｂと缶蓋本体上面１０ａとの距離を大きくすることが可能になり、タブ１５の引き上げ部１５ｄを引き上げて開口部１４を開口させる当初において、引き上げ部１５ｄの下面側に容易に指を入り込ませることをより一層確実に実現することができる。
【００３６】
また、タブ１５の引き上げ部１５ｄを引き上げて開栓する前には、タブ１５は一端部１５ａから他端部１５ｂに向かう方向にスライド可能とされて、一端部１５ａと主スコア１３の始点部１３ａとの距離が大きくされているので、この缶蓋が缶体の開口部に巻き締められてなる缶を搬送するときに、この缶に作用する振動によって始点部１３ａが不用意に破断することを防ぐことができる。
【００３７】
なお、本発明の技術的範囲は前記実施の形態に限定されるものではなく、本発明の趣旨を逸脱しない範囲において種々の変更を加えることが可能である。
例えば、前記実施形態では、タブ１５が一端部１５ａから他端部１５ｂに向かう方向での缶蓋本体１０の径方向にスライド可能とされた構成を示したが、これに代えて例えば一端部１５ａから他端部１５ｂに向かう方向に交差する方向での缶蓋本体１０の径方向にスライド可能とされた構成を採用してもよい。また、タブ１５を缶蓋本体１０の径方向において複数の方向にスライドさせるようにしてもよい。
【００３８】
タブ１５を前記スライドする構成は、前記実施形態のようにリベットホール１５ｇを長穴とする構成に限られない。また、指かけ凹部１０ｂおよびディンプル１２を有さない缶蓋本体１０にも適用可能である。
【産業上の利用可能性】
【００３９】
開口部の開口面積を大きくしても主スコアを全周に亙って破断することができる。
【図面の簡単な説明】
【００４０】
【図１】図１は、本発明の一実施形態として示した缶蓋であって、タブをスライドさせる前の状態を示す平面図である。
【図２】図２は、本発明の一実施形態として示した缶蓋であって、タブをスライドさせた後の状態を示す平面図である。
【符号の説明】
【００４１】
１０  缶蓋本体
１０ａ  缶蓋本体上面
１０ｂ  指かけ凹部
１１  リベット
１２  ディンプル
１３  主スコア
１４  開口部
１５  タブ
１５ａ  一端部
１５ｂ  他端部
１５ｇ  リベットホール
【図１】
2007076673.tif 000003
【図２】
2007076673.tif 000004